(57)【特許請求の範囲】
【請求項１】
掬い部の先端部の表裏に断面Ｕ字状に開口する合成樹脂製補強板を嵌合係止し、前記補強板の幅方向における開口部内の両端部に設けた係止部を掬い部先端部に設けた被係止部に係合させてなるスノーショベルであって、
前記係止部は前記開口部内の幅方向における両端部に設けた嵌合リブと前記リブに連設され外方に向かって突出する係止爪を備え、
前記被係止部は前記嵌合リブを受け入れる長孔と該長孔に支承され可撓性を有する係止爪とを備えることを特徴とするスノーショベル。
【請求項２】
前記補強板の厚さ方向にリブを長さ方向において適当間隔にて設けると共に、前記掬い部の先端部に嵌合係止状態において前記リブを逃がす逃がし長孔を設けてなることを特徴とする請求項１に記載のスノーショベル。
【請求項３】
前記掬い部の裏面側における前記嵌合突板に先端から後端に向けて厚くなるようにテーパ面を有するリブを複数個突設することを特徴とする請求項１又は請求項２に記載のスノーショベル。
【請求項４】
前記掬い部の前記嵌合突板の基端側には、前記掬い部の幅方向にわたって前記補強板の嵌合端部が突き当たる当接壁を立設してなることを特徴とする請求項１乃至３の何れか一に記載のスノーショベル。
【発明の詳細な説明】
【技術分野】
【０００１】
本発明は、先端部に補強部を備えるスノーショベルに関する。
【背景技術】
【０００２】
従来、先端部に補強部を備える除雪用具としては、例えば、特開２００４−２７７８６号（特許文献１）に記載のものが公知である。前記公報に記載の発明は、プラスチック製掬い部の先端部の表裏に断面Ｕ字状の金属製補強板を被嵌係止したスノーダンプにおいて、前記金属製補強板を掬い部先端部の全幅に被嵌せず、中央部所定範囲に被嵌係止して、前記金属製補強板が被嵌されない掬い部先端部の左右部は、肉厚を厚く形成して強度を付与せしめている。
【先行技術文献】
【特許文献】
【０００３】
【特許文献１】特開２００４−２７７８６号      第１頁  図１
【発明の概要】
【発明が解決しようとする課題】
【０００４】
しかしながら、前記スノーダンプは、先端部を覆う補強部が金属製（ステンレス）であるため、屋根等の雪下ろしの作業において、金属製の先端部が前記屋根に擦れて、前記屋根材を傷つける場合が生じる。さらに、前記金属板は、掬い部先端部にリベットで固定されているので、前記金属板の先端と前記スノーダンプの掬い部先端との隙間から、雪や水分が入り込み、その後、入り込んだ雪や水分が凍結して膨張して、その結果、前記金属板がめくれ上がったり、反り返ったりし、不具合が生じる。
【０００５】
本発明は、かかる事情に鑑みてなされたものであって、先端部に補強部を備えるスノーショベルであって、作業中に屋根材等を傷つけることがなく、また、掬い部先端部との係合構造を工夫することにより、前記掬い部先端部と前記先端部補強部との間から雪や水分が入り込にくい、前記補強部がめくれ上がったり、反り返ったりしないスノーショベルを提供することを目的とする。
【課題を解決するための手段】
【０００６】
請求項１に記載のスノーショベルは、掬い部の先端部の表裏に断面Ｕ字状に開口する合成樹脂製補強板を嵌合係止し、前記補強板の幅方向における開口部内の両端部に設けた係止部を掬い部先端部に設けた被係止部に係合させてなるスノーショベルであって、
前記係止部は前記開口部内の幅方向における両端部に設けた嵌合リブと前記リブに連設され外方に向かって突出する係止爪を備え、
前記被係止部は前記嵌合リブを受け入れる長孔と該長孔に支承され可撓性を有する係止爪とを備えることを特徴とする。
【０００７】
請求項１に記載のスノーショベルにあっては、掬い部の先端に嵌合係止した補強板が合成樹脂から成型されているので、雪おろし等の作業中に掬い部の先端が屋根等に擦れても前記屋根材を傷つけることはない。また、前記補強板の幅方向における開口部内に嵌合係止構造を設けたので、前記補強板と前記掬い部の先端との隙間から雪や水分が入り込みにくいものとなると共に、合成樹脂で成型するのに好適な形状となる。
【０００８】
請求項２に記載のスノーショベルは、請求項１記載のスノーショベルにおいて、前記補強板の厚さ方向にリブを長さ方向において適当間隔にて設けると共に、前記掬い部の先端部に嵌合係止状態において前記リブを逃がす逃がし長孔を設けてなることを特徴とする。
【０００９】
請求項２に記載のスノーショベルにあっては、請求項１に記載のスノーショベルに加えて、係止状態において、前記リブと逃がし長孔とが確実に係止でき、前記補強板は前記掬い部に容易かつ確実に嵌合係止ができることとなる。
【００１０】
請求項３に記載のスノーショベルは、請求項１又は２に記載のスノーショベルであって、前記掬い部の裏面側における前記嵌合突板に先端から後端に向けて厚くなるようにテーパ面を有するリブを複数個突設することを特徴とする。
【００１１】
請求項３に記載のスノーショベルにあっては、請求項１又は２に記載のスノーショベルに加えて、前記リブのテーパ面により前記補強板は凹みにくいものとなる。
【００１２】
請求項４に記載のスノーショベルは、請求項１乃至３の何れか一に記載のスノーショベルであって、前記掬い部の前記嵌合突板の基端側には、前記掬い部の幅方向にわたって前記補強板の嵌合端部が突き当たる当接壁を立設してなることを特徴とする。
【００１３】
請求項４に記載のスノーショベルにあっては、請求項１乃至３の何れか一に記載のスノーショベルに加えて、係止状態において、前記当接壁の当たり面に前記補強板に嵌合端部が当接して、雪水が入り込まないこととなる。
【００１４】
削除
【００１５】
削除
【発明の効果】
【００１６】
請求項１に記載のスノーショベルによれば、掬い部の先端部の表裏に断面Ｕ字状に開口する合成樹脂製補強板を嵌合係止し、前記補強板の幅方向における開口部内の両端部に設けた係止部を掬い部先端部に設けた被係止部に係合させてなるスノーショベルであって、前記係止部は前記開口部内の幅方向における両端部に設けた嵌合リブと前記リブに連設され外方に向かって突出する係止爪を備え、前記被係止部は前記嵌合リブを受け入れる長孔と該長孔に支承され可撓性を有する係止爪とを備えているので、掬い部の先端に嵌合係止した補強板が合成樹脂から成型され、雪おろし等の作業中に掬い部の先端が屋根等に擦れても前記屋根材を傷つけることはない。また、前記補強板の幅方向における開口部内に嵌合係止構造を設けたので、前記補強板と前記掬い部の先端との隙間から雪や水分が入り込みにくいものとなると共に、合成樹脂で成型するのに好適な形状となる。
【００１７】
請求項２に記載のスノーショベルによれば、請求項１記載のスノーショベルにおいて、前記補強板の厚さ方向にリブを長さ方向において適当間隔にて設けると共に、前記掬い部の先端部に嵌合係止状態において前記リブを逃がす逃がし長孔を設けているので、請求項１に記載のスノーショベルに加えて、係止状態において前記リブと逃がし長孔とが確実に係止でき、前記補強板は前記掬い部に容易かつ確実に嵌合係止ができることとなる。
【００１８】
請求項３に記載のスノーショベルによれば、請求項１又は２に記載のスノーショベルであって、前記掬い部の裏面側における前記嵌合突板に先端から後端に向けて厚くなるようにテーパ面を有するリブを複数個突設しているので、請求項１又は２に記載のスノーショベルに加えて、前記リブのテーパ面により前記補強板は凹みにくいものとなる。
【００１９】
請求項４に記載のスノーショベルによれば、請求項１乃至３の何れか一に記載のスノーショベルであって、前記掬い部の前記嵌合突板の基端側には、前記掬い部の幅方向にわたって前記補強板の嵌合端部が突き当たる当接壁を立設しているので、請求項１乃至３の何れか一に記載のスノーショベルに加えて、係止状態において、前記当接壁の当たり面に前記補強板に嵌合端部が当接して、雪水が入り込まないこととなる。
【００２０】
削除
【図面の簡単な説明】
【００２１】
【図１】（ａ）は本発明に係るスノーショベルを示す正面図であり、（ｂ）は側面図である。
【図２】掬い部の拡大正面図である。
【図３】掬い部と補強板の分解正面図である。
【図４】掬い部先端と補強板の係止構造を示す表面側の要部拡大分解斜視図である。
【図５】掬い部先端と補強板の係止構造を示す裏面側の要部拡大分解斜視図である。
【図６】補強板の斜視図である。
【発明を実施するための形態】
【００２２】
以下、本発明を実施するための最良の形態を図面に基づいて具体的に説明する。
【００２３】
図１（ａ）は本実施の形態に係るショベルを示す正面図であり、同図（ｂ）は側面図である。図２は掬い部の拡大正面図である。
【００２４】
図１乃至図３において、１０はスノーショベル（以下「ショベル」という。）であり、該ショベル１０は、ポリプロピレンで成型される雪を掬い取るための掬い部１１と、該掬い部１１の後端部中央部に連結される握柄杆２０とから構成されている。
【００２５】
前記掬い部１１は、雪を掬い取るために凹状に成型された掬い面１２（表面側）と、裏面側の滑り面１３とを備えると共に、該掬い部１１の中央部から後方に向けて筒部１４を一体状に突設させており、前記筒部１４には後端部に把持部２１を設けた前記握柄杆２０を挿入固定している。
【００２６】
前記掬い部１１の掬い面１２には、表面側に膨らむリブ１６を６条設けており、前記掬い部１１の強度を上げると共に、雪塊を投げ捨てる際に掬い面１２からの雪塊離れが良いようにしている。
【００２７】
そして、前記掬い部１１の先端には、ポリカーボネイトを断面略Ｕ字状に開口するように成型した補強板３０が後述する係止構造によって嵌合固定されている。
【００２８】
図３は掬い部と補強板の分解正面図であり、図４は掬い部先端と補強板の係止構造を示す表面側の要部拡大分解斜視図であり、図５は掬い部先端と補強板の係止構造を示す裏面側の要部拡大分解斜視図であり、図６は補強板の斜視図である。
【００２９】
図３乃至図６に示すように、前記掬い部１１の先端には、前記補強板３０の開口部３１に挿入可能な平板状の嵌合突板１７を前方に向けて突設している。前記嵌合突板１７の両端部には、後述する補強板３０の嵌合リブ３０ａ，３０ａを受け入れる長孔１７ａ，１７ａと該長孔１７ａに支承され可撓性を有する係止爪１７ｂとを設けており、さらに、幅方向において前記補強板３０に設けたリブ３０ｃを逃がすための逃がし長孔１７ｃが３カ所に設けられており、前記逃がし長孔１７ｃは等幅に形成されている。
【００３０】
また、前記掬い部１１の前記嵌合突板１７の基端側には、前記掬い部１１の幅方向にわたって、前記補強板３０の嵌合端部が突き当たるように当接壁１８を立設しており、係止状態において、前記当接壁１８の当たり面１８ａに前記補強板に嵌合端部が当接するようにしている。
【００３１】
さらに、前記滑り面１３側の前記嵌合突板１７には、先端から後端に向けて厚くなるようにテーパ面を有するリブ１７ｄが複数個突設されており前記嵌突板１８の強度を上げると共に、前記補強板３０との係止状態において、前記補強板３０が凹まないようになしている。
【００３２】
一方、前記補強板３０は、断面略Ｕ字状の幅広形状からなり、後端（嵌合側）に開口部３１を備え、先端は鋭角のテーパ面で構成されている。そして、前記開口部３１内の幅方向における両端部には、リブ３０ａ，３０ａと前記リブ３０ａ，３０ａに連設され外方に向かって突出する係止爪３０ｂを設けている、さらに、前記開口部３１内には、幅方向において略等間隔に３カ所、リブ３０ｃを設けており、前記リブ３０ｃは基端側にゆくほど、幅厚にかつ基端側においては前記逃がし長孔１７ｃの幅よりも若干幅広に成型されている。
【００３３】
本発明に係スノーショベルは以上の構成からなるので、前記補強板３０は前記開口部３１内にリブ３０ａと係止爪３０ｂと前記リブ３０ｃとを有しているため、前記補強板３０は合成樹脂で成型するのに好適な形状となり、また、前記係止構造を備えるため、前記補強板３０は前記掬い部１１に容易かつ確実に嵌合係止ができると共に、係止状態において、前記リブ３０ｃと逃がし長孔１７ｃとが基端側において強制的に嵌合され確実に係止でき、さらに、前記リブ１７ｄのテーパ面により前記補強板３０は凹みにくいものとなる。
【００３４】
また、前記掬い部１１の前記嵌合突板１７の基端側には、前記掬い部１１の幅方向にわたって、前記補強板３０の嵌合端部が突き当たるように当接壁１８が形成されているので、係止状態において、前記当接壁の当たり面１８ａに前記補強板に嵌合端部が当接して、雪水が入り込まないこととなる。
【符号の説明】
【００３５】
１０    スノーショベル
１１    掬い部
１２    掬い面
１３    滑り面
１４    筒部
１６    リブ
１７    嵌合突板
１７ａ  長孔
１７ｂ  係止爪
１７ｃ  逃がし長孔
１８    当接壁
１８ａ  当たり面
２０    握柄杆
２１    把持部
３０    補強板
３０ａ  リブ
３０ｂ  係止爪
３０ｃ  リブ
３１    開口部
【図１】
0005348799.tif 000002
【図２】
0005348799.tif 000003
【図３】
0005348799.tif 000004
【図４】
0005348799.tif 000005
【図５】
0005348799.tif 000006
【図６】
0005348799.tif 000007